(57)【要約】      （修正有）【課題】構成部品点数を削減することにより、製造コストを低減することができるようにするとともに、組み付け作業を簡素化して作業効率を向上させる。【解決手段】アバットメントを配置するアバットメント配置領域１４と、インプラントアナログを挿入可能な開口部１６ｃを備え、開口部１６ｃから挿入されたインプラントアナログを配置するインプラントアナログ配置領域１６と、インプラントアナログ配置領域１６に配置されたインプラントアナログを固定するためのセットスクリュー２０をネジ込むネジ穴とを有する本体部１２と、本体部１２のネジ穴にネジ込むセットセットスクリュー２０とを有し、本体部のインプラントアナログ配置領域１６に開口部１６ｃからインプラントアナログを挿入して、ネジ穴にセットスクリュー２０をネジ込み本体部１２に対してインプラントアナログを固定し、インプラントアナログに対してアバットメントを固定する。【選択図】図１
2018130137.tif 000002
【特許請求の範囲】
【請求項１】
歯科のインプラントに用いるアバットメントを加工するために前記アバットメントを固定する固定治具において、
アバットメントを配置するアバットメント配置領域と、
インプラントアナログを挿入可能な開口部を備え、前記開口部から挿入された前記インプラントアナログを配置するインプラントアナログ配置領域と、
前記インプラントアナログ配置領域に配置された前記インプラントアナログを固定するためのセットスクリューをネジ込むネジ穴と
を有する本体部と、
前記本体部の前記ネジ穴にネジ込むセットセットスクリューと
を有し、
前記本体部の前記インプラントアナログ配置領域に前記開口部から前記インプラントアナログを挿入して配置して、前記ネジ穴に前記セットスクリューをネジ込み前記本体部に対して前記インプラントアナログを固定し、前記インプラントアナログに対して前記アバットメントを固定する
ことを特徴とする固定治具。
【請求項２】
請求項１に記載の固定治具において、
前記インプラントアナログは、外周面に前記セットスクリューの受け部となる凹部を備え、
前記セットスクリューの端部を前記凹部に押し付けることにより、前記本体部に対して前記インプラントアナログを固定する
ことを特徴とする固定治具。
【請求項３】
請求項１または２のいずれか１項に記載の固定治具において、
前記インプラントアナログは、前記アバットメントの軸部を挿入する挿入部を備え、
前記軸部を前記挿入部に挿入することにより、前記インプラントアナログに対して前記アバットメントを固定する
ことを特徴とする固定治具。
【請求項４】
請求項３に記載の固定治具において、
前記挿入部は、内径面に第１の平面部を備え、
前記軸部は、外径面内径面に第２の平面部を備え、
前記軸部を前記挿入部に挿入することにより、前記第１の平面部と前記第２の平面部とを当接させて、前記インプラントアナログに対して前記アバットメントを固定する
ことを特徴とする固定治具。
【請求項５】
請求項１、２、３または４のいずれか１項に記載の固定治具において、
前記インプラントアナログは、外周面にキー溝を備え、
前記キー溝に内に前記本体部からキーを差し込む
ことを特徴とする固定治具。
【請求項６】
請求項１、２、３、４または５のいずれか１項に記載の固定治具において、
前記本体部は、前記アバットメント配置領域と前記インプラントアナログ配置領域とを同数の複数個を備えた
ことを特徴とする固定治具。
【発明の詳細な説明】
【技術分野】
【０００１】
本発明は、固定治具に関し、さらに詳細には、歯科のインプラントに用いるアバットメントを加工するために固定する固定治具に関する。
【背景技術】
【０００２】
従来より、切削加工装置により歯科のインプラントに用いるアバットメントを加工する際に、当該アバットメントを固定するための固定治具として、例えば、独国特許発明第１０２０１２１０２０５９号明細書に開示された固定治具が知られている。
【０００３】
この独国特許発明第１０２０１２１０２０５９号明細書に開示された従来の固定治具は、アバットメントをインプラントアナログに取り付けて、そのインプラントアナログをブロックに取り付け、そのブロックを治具本体に固定するという構造を備えるものであった。
【０００４】
このため、構成部品点数が多くなってしまい、製造コストが上昇するとともに、組み付け作業の作業効率に劣るという問題点があった。
【先行技術文献】
【特許文献】
【０００５】
【特許文献１】独国特許発明第１０２０１２１０２０５９号明細書
【発明の概要】
【発明が解決しようとする課題】
【０００６】
本発明は、従来の技術の有する上記したような問題点に鑑みてなされたものであり、その目的とするところは、従来の技術と比較すると、構成部品点数を削減することにより、製造コストを低減することができるようにするとともに、組み付け作業を簡素化して作業効率を向上することができるようにした固定治具を提供しようとするものである。
【課題を解決するための手段】
【０００７】
上記目的を達成するために、本発明は、アバットメントをインプラントアナログに取り付けて、そのインプラントアナログを治具本体に直接固定するようにしたものである。
【０００８】
従って、本発明によれば、従来の技術と比較すると構成部品点数が削減されるため、製造コストを低減することが可能となり、また、組み付け作業が簡素化されて作業効率を向上することが可能になる。
【０００９】
即ち、本発明は、歯科のインプラントに用いるアバットメントを加工するために上記アバットメントを固定する固定治具において、アバットメントを配置するアバットメント配置領域と、インプラントアナログを挿入可能な開口部を備え、上記開口部から挿入された上記インプラントアナログを配置するインプラントアナログ配置領域と、上記インプラントアナログ配置領域に配置された上記インプラントアナログを固定するためのセットスクリューをネジ込むネジ穴とを有する本体部と、上記本体部の上記ネジ穴にネジ込むセットセットスクリューとを有し、上記本体部の上記インプラントアナログ配置領域に上記開口部から上記インプラントアナログを挿入して配置して、上記ネジ穴に上記セットスクリューをネジ込み上記本体部に対して上記インプラントアナログを固定し、上記インプラントアナログに対して上記アバットメントを固定するようにしたものである。
【００１０】
また、本発明は、上記した本発明において、上記インプラントアナログは、外周面に上記セットスクリューの受け部となる凹部を備え、上記セットスクリューの端部を上記凹部に押し付けることにより、上記本体部に対して上記インプラントアナログを固定するようにしたものである。
【００１１】
また、本発明は、上記した本発明において、上記インプラントアナログは、上記アバットメントの軸部を挿入する挿入部を備え、上記軸部を上記挿入部に挿入することにより、上記インプラントアナログに対して上記アバットメントを固定するようにしたものである。
【００１２】
また、本発明は、上記した本発明において、上記挿入部は、内径面に第１の平面部を備え、上記軸部は、外径面内径面に第２の平面部を備え、上記軸部を上記挿入部に挿入することにより、上記第１の平面部と上記第２の平面部とを当接させて、上記インプラントアナログに対して上記アバットメントを固定するようにしたものである。
【００１３】
また、本発明は、上記した本発明において、上記インプラントアナログは、外周面にキー溝を備え、上記キー溝に内に上記本体部からキーを差し込むようにしたものである。
【００１４】
また、本発明は、上記した本発明において、上記本体部は、上記アバットメント配置領域と上記インプラントアナログ配置領域とを同数の複数個を備えたものである。
【発明の効果】
【００１５】
本発明は、以上説明したように構成されているので、従来の技術と比較すると、構成部品点数を削減することにより、製造コストを低減することができるようになるとともに、組み付け作業が簡素化されて作業効率を向上することができるようになるという優れた効果を奏する。
【図面の簡単な説明】
【００１６】
【図１】図１は、本発明の実施の形態の一例による固定治具の構成を模式的に示す断面説明図である。
【図２】図２は、図１のＩＩ−ＩＩ線による断面を模式的に示す断面説明図である。
【図３】図３は、アバットメントおよびインプラントアナログの構成を模式的に示す斜視説明図である。
【図４】図４は、本発明の他の実施の形態による固定治具の構成を模式的に示す図２に相当する断面説明図である。
【発明を実施するための形態】
【００１７】
以下、添付の図面を参照しながら、本発明による固定治具の実施の形態の一例を詳細に説明するものとする。
【００１８】
（Ｉ）本発明による固定治具の構成の説明
図１には、本発明の実施の形態の一例による固定治具の構成を模式的に示す断面説明図があらわされている。また、図２には、図１のＩＩ−ＩＩ線による断面を模式的に示す断面説明図があらわされている。また、図３には、アバットメントおよびインプラントアナログの構成を模式的に示す斜視説明図があらわされている。これら図１乃至図３を参照しながら、本発明による固定治具１０について説明する。
【００１９】
固定治具１０は、予め設定された厚さ（図１における紙面と垂直方向の高さである。）を備えた略円柱形状の本体部１２を備えている。本体部１２の平面方向（図１における紙面と平行な方向である。）における中央領域には、アバットメント１００を上記平面方向沿って紙面の上下方向に３個ずつ配置可能なアバットメント配置領域１４が２列穿設されている。
【００２０】
また、本体部１２における上記平面方向の縁部には、本体部１２の側面１２ｃ（図１における紙面と垂直な円筒面である。）に開口した開口部１６ｃを備え、アバットメント配置領域１４とそれぞれ連通したインプラントアナログ配置領域１６が穿設されている。インプラントアナログ配置領域１６は、アバットメント配置領域１４にアバットメント１００が配置された際に、当該配置されたアバットメント１００とそれぞれ対応する位置に６箇所形成されている。各インプラントアナログ配置領域１６に、インプラントアナログ２００が配置される。
【００２１】
固定治具１０は、アバットメント配置領域１４の軸部配置部１４ａに配置されたアバットメント１００の突出軸部１０４が、本体部１２から抜け出ないようにするために、突出軸部１０４を本体部１２の表面１２ａ側から押さえる押さえ板部材１８ａと裏面１２ｂ側とから押さえる押さえ板部材１８ｂとを備えている。押さえ板部材１８ａ、１８ｂは、セットスクリュー２０により本体部１２に固定される。
【００２２】
アバットメント１００は、切削加工装置の加工ツールにより加工される円柱状加工領域１０２と、円柱状加工領域１０２の両端部からそれぞれ吐出形成された突出軸部１０４および挿入軸部１０６とを備えている。突出軸部１０４は、アバットメント配置領域１４の軸部配置部１４ａに配置される。突出軸部１０４と軸部配置部１４ａとは、突出軸部１０４が軸部配置部１４ａに隙間無く配置されるように寸法設定されている。挿入軸部１０６には、外径面に平面部１０６ａが形成されている。
【００２３】
インプラントアナログ２００は、インプラントアナログ配置領域１６の基部配置部１６ａに配設される略四角柱形状の基部２０２と、インプラントアナログ配置領域１６の挿入部配置部１６ｂに配設される略円筒形状の挿入部２０４とを備えている。基部２０２と基部配置１６ａとは、基部２０２が基部配置１６ａに隙間無く配置されるように寸法設定されている。同様に、挿入部２０４と挿入部配置部１６ｂとは、挿入部２０４が挿入部配置部１６ｂに隙間無く配置されるように寸法設定されている
【００２４】
挿入部２０４の外径面には、セットスクリュー３００の受け部となる凹部２０４ａが形成されている。また、挿入部２０４の内径面には、挿入軸部１０６の平面部１０６ａが当接する平面部２０４ｂが形成されている。
【００２５】
アバットメント１００の挿入軸部１０６は、平面部１０６ａとインプラントアナログ２００における挿入部２０４の平面部２０４ｂと当接するようにして、挿入部２０４内に挿入される。挿入軸部１０６と挿入部２０４とは、挿入軸部１０６が挿入部２０４に隙間無く配置されるように寸法設定されている。これにより、インプラントアナログ２００に対してアバットメント１０６が回り止めされて固定される。
【００２６】
本体部１２は、表面１２ａから挿入部配置部１６ｂへ向けてネジ穴１２ｄが形成されている。インプラントアナログ配置領域１６の基部配置部１６ａに基部２０２を配設するとともに、インプラントアナログ配置領域１６の挿入部配置部１６ｂに挿入部２０４を配設した状態で、ネジ穴１２ｄにセットスクリュー３００を凹部２０４ａに対してネジ込む。これにより、セットスクリュー３００の端部３００ａにより凹部２０４ａが押さえ付けられて、本体部１２に対してインプラントアナログ２００を回り止めして固定する。
【００２７】
（ＩＩ）固定治具によるアバットメントの固定方法の説明
以上の構成において、固定治具１０にアバットメント１００を固定するには、まず、アバットメント１００を本体部１２の表面１２ａに対して斜めにして、アバットメント１００をアバットメント配置領域１４に仮置きする。
【００２８】
それから、開口部１６ｃからインプラントアナログ２００を本体部１２に挿入して、インプラントアナログ２００をインプラントアナログ配置領域１６に配置するとともに、インプラントアナログ２００の挿入部２０４にアバットメント１００の挿入軸部１０６を挿入して、両者を嵌め合わせる。
【００２９】
その後に、ネジ穴１２ｄにセットスクリュー３００を凹部２０４ａに対してネジ込む。セットスクリュー３００の端部３００ａが凹部２０４ａが押さえ付け、これにより本体部１２に対してインプラントアナログ２００を固定する。
【００３０】
さらに、押さえ板部材１８ａ、１８ｂをセットスクリュー２０により本体部１２に固定し、これにより本体部１２に対してアバットメント１０６を固定することができる。
【００３１】
（ＩＩＩ）  固定治具の作用効果の説明
従って、上記した固定治具１０によれば、従来の技術と比較すると構成部品点数が削減されるため、製造コストを低減することができる。また、構成部品点数の削減に伴い、組み付け作業が簡素化され、作業効率を向上することができる。
【００３２】
（ＩＶ）他の実施の形態および変形例の説明
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００３３】
例えば、上記した実施の形態は、以下の（１）乃至（４）に示すように変形するようにしてもよい。
【００３４】
（１）上記した実施の形態において、図４に示すように、インプラントアナログ２００の挿入部２０４の外周面にキー溝２０６を設け、このキー溝２０６に内に本体部１２からキー４００を差し込む。これにより、本体部１２に対し、インプラントアナログ２００の挿入部２０４を一層確実に回り止めするようにしてもよい。
【００３５】
（２）上記した実施の形態においては、本体部１２に最大６個のアバットメントを固定可能としたが、これに限られるものではないことは勿論である。即ち、本体部１２に固定するアバットメントの個数は限定されるものではない。
【００３６】
（３）上記した実施の形態において、インプラントアナログ２００の挿入部２０４に、挿入部２０４内に挿入されたアバットメント１００の挿入軸部１０６をセットスクリューにより固定するためのネジ穴を形成し、当該セットスクリューを当該ネジ穴にネジ込んで、当該セットスクリューにより挿入部２０４に対して挿入軸部１０６を一層確実に固定するようにしてもよい。
【００３７】
（４）上記した実施の形態ならびに上記した（１）乃至（３）に示す各種の変形例は、適宜に組み合わせるようにしてもよい。
【産業上の利用可能性】
【００３８】
本発明は、切削加工装置により歯科のインプラントに用いるアバットメントを加工する際に、当該アバットメントを固定するための固定治具として利用することができる。
【符号の説明】
【００３９】
１０  固定治具、１２  本体部、１２ａ  表面、１２ｂ  裏面、１２ｃ  側面、１２ｄ  ネジ穴、１４  アバットメント配置領域、１４ａ  軸部配置部、１６  インプラントアナログ配置領域、１６ａ  基部配置部、１６ｂ  挿入部配置部、１６ｃ  開口部、１８ａ  押さえ板部材、１８ｂ  押さえ板部材、２０  セットスクリュー、１００  アバットメント、１０２  円柱状加工領域、１０４  突出軸部、１０６  挿入軸部（軸部）、１０６ａ  平面部（第２の平面部）、２００  インプラントアナログ、２０２  基部、２０４  挿入部、２０４ａ  凹部、２０４ｂ  平面部（第１の平面部）、２０６  キー溝、３００  セットスクリュー、３００ａ  端部、４００  キー
【図１】
2018130137.tif 000003
【図２】
2018130137.tif 000004
【図３】
2018130137.tif 000005
【図４】
2018130137.tif 000006